(57)【要約】      （修正有）【課題】  編糸自身からマイナスイオンを発生させ、このマイナスイオンの作用で血液の循環を良好にさせ、免疫力向上、精神安定、身体の機能向上、老廃物の排出、呼吸器の機能向上、疲労感の軽減等、健康増進に役立つストッキング類の提供。【解決手段】  少なくとも一部に、多元素鉱物を粉砕して形成したイオンパウダーを練り込んだ編糸を含有している。【選択図】  図１
2006063505.tif 000002
【特許請求の範囲】
【請求項１】
少なくとも一部に、多元素鉱物を粉砕して形成したイオンパウダーを練り込んだ編糸を含有していることを特徴とするストッキング類。
【請求項２】
前記編糸が、伸縮性芯糸に非伸縮性糸を巻き付けたカバーリング糸であり、伸縮性芯糸及び／又は非伸縮性糸にイオンパウダーが練り込まれていることを特徴とする請求項１記載のストッキング類。
【請求項３】
前記編糸が、前記イオンパウダーと遠赤外線放射材料を粉砕して形成した遠赤外線放射粉状体とを練り込んで形成されていることを特徴とする請求項１又２記載のストッキング類。
【請求項４】
前記イオンパウダーの粒径が２．０ミクロン以下であることを特徴とする請求項１又は２又は３記載のストッキング類。
【請求項５】
前記遠赤外線放射粉状体の粒径が２．０ミクロン以下であることを特徴とする請求項３記載のストッキング類。
【請求項６】
前記イオンパウダーの配合量が、重量比で０．０５％〜３．００％であることを特徴とする請求項１又は２又は４記載のストッキング類。
【請求項７】
前記イオンパウダーの配合量が、重量比で０．１％〜１．０％であることを特徴とする請求項１又は２又は４記載のストッキング類。
【請求項８】
前記イオンパウダーと前記遠赤外線放射粉状体との合計の配合量が、重量比で０．０６％〜３．００％であることを特徴とする請求項３又は５記載のストッキング類。
【請求項９】
前記イオンパウダーと前記遠赤外線放射粉状体との合計の配合量が、重量比で０．１％〜１．０％であることを特徴とする請求項３又は５記載のストッキング類。
【請求項１０】
前記編糸が、銀化合物、銅化合物又は亜鉛化合物のいずれか１種類以上の金属パウダーを練り込んで形成されていることを特徴とする請求項１又は２又は３又は４又は５又は６又は７又は８又は９記載のストッキング類。
【請求項１１】
前記金属パウダーの粒径が２．０ミクロン以下であることを特徴とする請求項１０記載のストッキング類。
【請求項１２】
前記金属パウダーを練り込んだときのイオンパウダーと金属パウダーとの合計の配合量、又はイオンパウダーと遠赤外線放射粉状体と金属パウダーとの合計の配合量が、重量比で０，０６％〜３，００％であることを特徴とする請求項１０又は１１記載のストッキング類。
【請求項１３】
前記金属パウダーを練り込んだときのイオンパウダーと金属パウダーとの合計の配合量、又はイオンパウダーと遠赤外線放射粉状体と金属パウダーとの合計の配合量が、重量比で０．１％〜１．０％であることを特徴とする請求項１０又は１１記載のストッキング類。
【発明の詳細な説明】
【技術分野】
【０００１】
本発明は、ストッキング類（ストッキング、パンティーストッキング、ソックス等を含む）に関し、特に、編糸からマイナスイオンを発生させて、健康増進を図ることができるストッキング類に関する。
【背景技術】
【０００２】
従来、マイナスイオンを発生させて、健康増進を図るようにした諸々の製品が提案されている（特許文献１、特許文献２、特許文献３参照）。
この従来の製品は、刃物、理美容用挟、繊維製品であり、このほか、ヘアドライヤー、寝具用敷シート、枕等の素材にイオンパウダーを練り込んだものが提案されている。
【０００３】
しかしながら、従来において、ストッキング類の編糸にイオンパウダーを練り込むようにしたものは見受けられない。
【０００４】
又、従来、着用時の摩擦で生じるマイナス静電気にて血液のアルカリ化を図り、下半身の血行を促進させるようにしたストッキングが提案されている（特許文献４参照）。
【０００５】
この従来のストッキングは、摩擦により繊維自体がマイナス静電気を発生する性質を備えているポリ塩化ビニール系の合成繊維を編糸に使用し、編み上げたものであり、編糸自体からマイナスイオンを発生させるようにしたものとは異なる。
【特許文献１】特開２００２−２９２１６３号公報
【特許文献２】特開２００２−１１９７７７号公報
【特許文献３】実用新案登録第３０３５１９０号公報
【特許文献４】実開平７−３３９１４号公報
【発明の開示】
【発明が解決しようとする課題】
【０００６】
本発明は、編糸自身からマイナスイオンを発生させ、このマイナスイオンの作用で血液の循環を良好にさせ、免疫力向上、精神安定、身体の機能向上、老廃物の排出、呼吸器の機能向上、疲労感の軽減等、健康増進に役立つストッキング類を提供することを課題としている。又、併せてストッキング類に防カビ性及び抗菌性能を持たせることを課題としている。
【課題を解決するための手段】
【０００７】
上記の課題を解決するために、本発明のストッキング類（請求項１）は、
少なくとも一部に、多元素鉱物を粉砕して形成したイオンパウダーを練り込んだ編糸を含有している構成とした。
【０００８】
上記請求項１記載のストッキング類において、前記編糸が、伸縮性芯糸に非伸縮性糸を巻き付けたカバーリング糸であり、伸縮性芯糸及び／又は非伸縮性糸にイオンパウダーが練り込まれている態様（請求項２）がある。
【０００９】
又、上記請求項１又は２記載のストッキング類において、前記編糸が、多元素鉱物を粉砕して形成したイオンパウダーと遠赤外線放射材料を粉砕して形成した遠赤外線放射粉状体とを練り込んで形成されている態様（請求項３）がある。又、上記請求項１又は２又は３記載のストッキング類において、前記イオンパウダーの粒径が２．０ミクロン以下である態様（請求項４）、又、請求項３記載のストッキング類において、遠赤外線放射粉状体の粒径が２．０ミクロン以下である態様（請求項５）がある。又、上記請求項１又は２又は４記載のストッキング類において、前記イオンパウダーの配合量が、重量比で０．０５％〜３．００％である態様（請求項６）がある。又、請求項１又は２又は４記載のストッキング類において、前記イオンパウダーの配合量が、重量比で０．１％〜１．０％である態様（請求項７）がある。又、請求項３又は５記載のストッキング類において、前記イオンパウダーと前記遠赤外線放射粉状体との合計の配合量が、重量比で０．０６％〜３．００％である態様（請求項８）がある。又、請求項３又は５記載のストッキング類において、前記イオンパウダーと前記遠赤外線放射粉状体との合計の配合量が、重量比で０．１％〜１．０％である態様（請求項９）がある。又、請求項１又は２又は３又は４又は５又は６又は７又は８又は９記載のストッキング類において、編糸が、銀化合物、銅化合物又は亜鉛化合物のいずれか１種類以上の金属パウダーを練り込んで形成されている態様（請求項１０）がある。又、金属パウダーの粒径が２．０ミクロン以下である態様（請求項１１）、又、請求項１０又は１１記載のストッキング類において、金属パウダーを練り込んだときのイオンパウダーと金属パウダーとの合計の配合量、又はイオンパウダーと遠赤外線放射粉状体と金属パウダーとの合計の配合量が、重量比で０，０６％〜３，００％である態様（請求項１２）、又、請求項１０又は１１記載のストッキング類において、金属パウダーを練り込んだときのイオンパウダーと金属パウダーとの合計の配合量、又はイオンパウダーと遠赤外線放射粉状体と金属パウダーとの合計の配合量が、重量比で０．１％〜１．０％である態様（請求項１３）がある。
【００１０】
本発明のストッキング類としては、通常のストッキング、ウェルト部およびパンティ部を有するパンティストッキング、タイツ、ヒザ上ストッキングを含むものとする。
【発明の効果】
【００１１】
本発明のストッキング類では、それを体に着用して、生活上の動作又は歩行運動等により、編糸自身の伸縮による摩擦、編糸同士の摩擦、編糸と皮膚や他の衣類との摩擦により、編糸自身からマイナスイオンを常時発生させることができる。
このマイナスイオンの作用で血液の循環を良好にさせ、免疫力向上、精神安定、身体の機能向上、老廃物の排出、呼吸器の機能向上、疲労感の軽減等、健康増進に役立てることができる。
【００１２】
又、イオンパウダーに遠赤外線放射粉状体を混合させると（請求項３）、イオンパウダーによる血液の循環促進効果に加え、遠赤外線放射粉状体による温熱効果で、血行を促進させることができる。又、イオンパウダー及び遠赤外線放射粉状体の粒径を２．０ミクロン以下とすると（請求項４、５）、紡糸段階での糸切れを防止することができる。又、イオンパウダーの配合量、又はイオンパウダーと遠赤外線放射粉状体との配合量を、重量比で０．０５％〜３．００％とすると（請求項６，８）、紡糸段階での糸切れを防止することができると共に、イオンパウダーの安定した効果が生じやすくなる。又、イオンパウダーの配合量、又はイオンパウダーと遠赤外線放射粉状体との配合量を、重量比で０．１％〜１．０％とすると（請求項７，９）、前記効果以外に、一部分に多くのパウダー粒が集まることがなく、又、糸物性の均一化を保つことができ、さらに、イオンパウダーの安定した効果が生じ易くなる。
【００１３】
又、編糸に、銀化合物、銅化合物又は亜鉛化合物のいずれか１種類以上の金属パウダーを添加すると（請求項１０）、カビや白癬菌等を殺菌、滅菌をすることができる。又、金属パウダーの粒径を２．０ミクロン以下とすると（請求項１１）、糸段階での糸切れを防止することができると共に、金属パウダーの安定した効果が生じやすくなる。
又、イオンパウダーと金属パウダーとの配合量、又はイオンパウダーと遠赤外線放射粉状体と金属パウダーとの配合量を、重量比で０．０６％〜３．００％とすると（請求項１２）、紡糸段階での糸切れを防止することができると共に、イオンパウダーの安定した効果が生じやすくなる。
又、イオンパウダーと金属パウダーとの配合量、又はイオンパウダーと遠赤外線放射粉状体と金属パウダーとの配合量を、重量比で０．１％〜１．０％とすると（請求項１３）、前記効果以外に、一部分に多くのパウダー粒が集まることがなく、又、糸物性の均一化を保つことができ、さらに、イオンパウダーの安定した効果が生じ易くなる。
【発明を実施するための最良の形態】
【００１４】
以下、本発明の実施の形態を図面に示す実施例により詳述する。
図１は本発明のストッキング類に使用する編糸の実施例を示す説明図で、図１（イ）は縮んだ状態を示し、図１（ロ）は伸びた状態を示している。
【００１５】
本発明のストッキング類は、イオンパウダーを練り込んだ編糸（以下、「イオン編糸」という）によって編成されたもので、そのイオン編糸による編成部分が少なくとも一部に設けられているものである。
【００１６】
例えば、パンティーストッキングで言えば、ウエスト部分のウエルト部、ヒップ部分のパンティ部、脚部分のレッグ部、つま先部分のトウ部のいずれか１ヶ所又は数ヶ所、又は全部をイオン編糸で編成することができる。
【００１７】
又、ストッキング類では、レッグ部に用いられる編糸の種類によってそれぞれ、仮撚加工糸を用いたウーリータイプ、カバーリング糸（シングル又はダブルカバリング）を１００％使用したゾッキタイプ、カバーリング糸とストレート糸を交編した交編タイプなどと呼ばれているが、本発明のストッキング類では、何れのタイプにも適用できる。
【００１８】
イオン編糸としては、伸縮性芯糸に非伸縮性糸を一重または二重に巻き付けたカバーリング糸を用いており、このカバーリング糸を構成する伸縮性芯糸及び／又は非伸縮性糸にイオンパウダーを練り込むようにしている。
【００１９】
尚、イオン編糸として用いるカバーリング糸としては、伸縮性芯糸に仮撚加工糸を巻き付け、この伸縮性芯糸及び／又は仮撚加工糸にイオンパウダーを練り込むようにしてもよい。
又、イオン編糸としては、カバーリング糸に限らず、仮撚加工糸の単糸を用い、この仮撚加工糸にイオンパウダーを練り込むようにしたものでもよい。
【００２０】
実施例では、イオン編糸として、図１に示すように、伸縮性芯糸１（ポリウレタン系弾性糸）に、ナイロン（ポリアミド）系／ポリエステル系繊維などの非伸縮性糸２を巻き付けたカバーリング糸Ａを用いており、非伸縮性糸２であるナイロン−６にイオンパウダーを練り込んでいる。
【００２１】
この場合、ナイロン−６の原料であるナイロン−６チップ（顆粒状のもの）にイオンパウダーを加え、均等かつパウダー粒が均一に分散するように十分攪拌し、その後は、通常の合成繊維紡糸工程（加熱、加圧、抽出、延伸等）を経て製造される。
【００２２】
上記のようにして製造したイオンパウダー入りの非伸縮性糸２（ナイロン−６）を、伸縮性芯糸１（ポリウレタン系弾性糸）に巻き付けてカバーリング糸Ａを作り、このカバーリング糸Ａを用いてストッキング類を自動編織機で編成させるものである。
【００２３】
イオンパウダーの粒径は、製造する糸の太さにもよるが、ストッキング用の糸を製造するのであれば、２．０ミクロン以下が望ましく、１．５ミクロン以下がより望ましい。
ストッキング類に用いられる糸番手に、１４Ｔ６があり、フィラメント１本の番手は１４／６で、２．３３３デシテックスで、旧単位では、２．１２デニールである。
ナイロン２デニールの直径が約１６ミクロン（計算値）であり、このことからイオンパウダーの粒径は、２．０ミクロン以下が望ましい。
【００２４】
イオンパウダーの配合量は、重量比で０．０５％〜３．００％が望ましく、０．１％〜１．０％がより望ましい。
これは、３．００％以上の配合量になると、パウダー粒が均一に分散せず、一部ダマ状態（数個から数十個の固まり）になり、紡糸段階で糸切れが生じることがある。
又、０．０５％以下の配合量になると、イオンパウダー本来の効果が希薄で、想定する効果を満たし難い。
【００２５】
又、イオンパウダーの配合量は、重量比で０．１％〜１．０％であれば、一部分に多くのパウダー粒が集まることはなく、又、糸物性の均一化を保つことができ、さらに、イオンパウダーの安定した効果が生じやすくなる。
【００２６】
尚、実施例では、カバーリング糸Ａの非伸縮性糸２（ナイロン−６）にイオンパウダーを練り込んだ例を挙げたが、カバーリング糸の伸縮性芯糸（ポリウレタン系弾性糸）にイオンパウダーを含有させてもよい。
この場合、カバーリング糸の伸縮性芯糸は、非伸縮性糸に比べて、糸径が太いので、より多くのイオンパウダーを練り込むことができるし、タイツ用の編糸として転用でき、又、イオンパウダーが直接に肌に触れ難くなるため、ストッキングとしての肌触り感を損なうことがない等の利点がある。
尚、この伸縮性芯糸に巻き付ける非伸縮性糸としては、イオンパウダーを練り込んだもの、イオンパウダーを練り込んでいないものの何れを用いてもよい。
【００２７】
又、本発明において、イオンパウダーとして、多元素鉱物を粉砕して形成した多元素鉱物粉状体を用いている。
尚、イオンパウダーとしての多元素鉱物粉状体に、遠赤外線放射材料を粉砕して形成した遠赤外線放射粉状体を混合させて使用することもできる。
【００２８】
多元素鉱物とは、例えば、真珠岩、松脂岩のように珪素を主成分とし、多数の元素がバランスよく含まれている鉱物をいい、この鉱物はマイナスイオンと電磁波（微弱エネルギー）を出し、これを身体に当てると、身体中の水分がミネラル化して蛋白質を活性化させることが知られている。
この場合、多元素鉱物粉状体は２種類以上を適宜に配合して使用することが好ましいが、１種類であってもよい。
【００２９】
尚、多元素鉱物の例である真珠岩の成分を表１に示す。
【００３０】
表１
2006063505.tif 000003
【００３１】
又、遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
【００３２】
本実施例のストッキング類１は、イオンパウダーを練り込んだ編糸により編成したので、この編糸から常時マイナスイオンを発生させることができる。
そして、このマイナスイオンが血液に作用し、人間の体を少しマイナスイオンに傾いた状態にし、これで体のバランスがとれ、新陳代謝が活発になり、体は老化しにくく健康になる。
又、マイナスイオンによって、水分にクラスター現象（水の分子集団を小さくする力）が生じて、装着部位の血液の循環が良くなり、免疫力向上、精神安定、体の機能向上、老廃物の排出、呼吸器の機能向上、疲労感の軽減等に役立つ。
【００３３】
又、多元素鉱物からは、その周囲５〜１０ｍｍの範囲で電磁波（微弱エネルギー）が放射される。
この電磁波は、波長４〜１４μｍで、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
以下、本発明の効果を説明するため、粒径１．５ミクロンのイオンパウダーを重量比で１．０％配合した編糸で編成したストッキング（以下、本発明品という。）とイオンパウダーを配合していない市販のストッキング（以下、市販品という）を被験者に着用させた結果を示す。実験は、３名の被験者（女性）を使用し、まず１日目は本発明品を着用してもらい、次の日に市販品を着用してもらい、それぞれ着用前と着用後７時間経過後の血中乳酸値を測定した。尚、被験者には２日間とも同じ作業をしてもらった。その血中乳酸値の測定結果と変化値を表２に示す。
表２
2006063505.tif 000004
＊測定値単位  ｍｇ／ｄＬ（女性の場合の基準値：３．７〜１６．３）
＊所見  被験者２及び被験者３において、血中乳酸値の上昇を抑制した。
被験者１において、血中乳酸値を減少させた。
【００３４】
又、イオンパウダーに遠赤外線放射粉状体を混合させると、この遠赤外線放射粉状体から遠赤外線が放射され、ストッキング類の装着部を内部から温めることができ、血行を良好にすることができる。尚、遠赤外線放射粉状体の粒径は、製造する糸の太さにもよるが、ストッキング用の糸を製造するのであれば、イオンパウダーと同様に、２．０ミクロン以下が望ましく、１．５ミクロン以下がより望ましい。
又、イオンパウダーに遠赤外線放射粉状体を混合させるときは、両者の合計の配合量が、重量比で０．０６％〜３．００％が望ましく、０．１％〜１．０％がより望ましい。
これは、３．００％以上の配合量になると、パウダー粒が均一に分散せず、一部ダマ状態（数個から数十個の固まり）になり、紡糸段階で糸切れが生じることがある。
尚、イオンパウダーが０．０５％以下の配合量になると、イオンパウダー本来の効果が希薄で、想定する効果を満たし難いので、イオンパウダーの配合量は０，０５％以上とする。
又、イオンパウダーと遠赤外線放射粉状体の配合割合は、イオンパウダー１に対して遠赤外線放射粉状体０．２〜０．３にするのが好ましい。
【００３５】
イオン編糸には、銀化合物、銅化合物又は亜鉛化合物のいずれか１種類以上の金属パウダーを練り込むことができる。この場合、これらの金属化合物にはカビや白癬菌等を殺菌・滅菌・制菌することができるという防カビ性や抗菌性能があるので、ストッキング類を衛生的かつ快適に装着することができる。金属パウダーは、イオンパウダーと一緒に練り込んでもよいし、イオンパウダーと遠赤外線放射粉状体と共に練り込んでもよい。
金属パウダーの粒径は、製造する糸の太さにもよるが、ストッキング用の糸を製造するのであれば、イオンパウダーと同様に、２．０ミクロン以下が望ましく、１．５ミクロン以下がより望ましい。
又、イオンパウダーと金属パウダーを練り込む場合、イオンパウダーと遠赤外線放射粉状体に金属パウダーを練り込む場合は、これらの合計の配合量が、重量比で０．０６％〜３．００％が望ましく、０．１％〜１．５％がより望ましい。
これは、３．００％以上の配合量になると、パウダー粒が均一に分散せず、一部ダマ状態（数個から数十個の固まり）になり、紡糸段階で糸切れが生じることがある。
尚、イオンパウダーが０．０５％以下の配合量になると、イオンパウダー本来の効果が希薄で、想定する効果を満たし難いので、イオンパウダーの配合量は０，０５％以上とする。
又、イオンパウダーと金属パウダーの配合割合は、イオンパウダー１に対して金属パウダー０．３以下、好ましくは０．１以下にするのが好ましい。
又、イオンパウダーと遠赤外線放射粉状体と金属パウダーの配合割合は、イオンパウダー１に対して遠赤外線放射粉状体０．１〜０，２、金属パウダー０．３以下、好ましくは０．１以下にするのが好ましい。
【図面の簡単な説明】
【００３６】
【図１】本発明のストッキング類に使用する編糸の実施例を示す説明図で、（イ）は縮んだ状態を示し、（ロ）は伸びた状態を示している。
【符号の説明】
【００３７】
１  伸縮性芯糸
２  非伸縮性糸
Ａ  カバーリング糸
【図１】
2006063505.tif 000005